(57)【要約】【課題】表示される映像の色温度を調整する際に、テキスト信号、ＯＳＤ信号等の情報の映像は色温度調整されないようにする。【解決手段】赤、緑、青の３原色映像信号の振幅を調整するリニア増幅器２８，２９，３０と、それら信号の直流レベルを調整する直流シフト回路３２，３３，３４によって、各３原色信号の振幅、直流レベルを相対的に変更して、ＣＲＴ３７に表示表示される映像の色温度を調整する。さらに３原色映像信号に重畳される３原色テキスト信号あるいは３原色ＯＳＤ信号の振幅、直流レベルを、色温度調整される３原色映像信号とは逆に変更しておいて、テキスト信号またはＯＳＤ信号に基づく映像については、実質的に色温度調整されないようにする。【選択図】      図１
2004297477.tif 000002
【特許請求の範囲】
【請求項１】
カラー映像信号に対してカラー情報信号を重畳するミキシング手段と、
このミキシング手段から出力されるカラー映像信号が供給され、当該カラー映像信号に基づく映像を表示する表示手段と、
前記表示手段に供給される信号を調整して、当該表示手段で表示される映像の色温度を調整する色温度調整手段と、
前記色温度調整手段によって生成される色温度変化が前記カラー情報信号に関しては実質的に相殺されて元のカラー情報信号に基づく色温度となるように、前記ミキシング手段による重畳に先立ち、前記色温度調整手段による調整に対応して前記カラー情報信号を調整するカラー情報信号調整手段と、
を具備したことを特徴とする映像表示機器の色温度調整装置。
【請求項２】
前記カラー情報信号調整手段は、前記色温度調整手段による調整処理に基づき、演算によって前記カラー情報信号の調整処理を実行するための信号を得るものであることを特徴とする請求項１に記載の映像表示機器の色温度調整装置。
【請求項３】
３原色それぞれのカラー映像信号に対して、対応する原色のカラー情報信号を重畳するミキシング手段と、
このミキシング手段から出力される３原色それぞれのカラー映像信号が供給され、当該カラー映像信号の振幅及び直流レベルを変更可能なカラー映像信号調整手段と、
このカラー映像信号調整手段から出力されるカラー映像信号が供給され、当該カラー映像信号に基づく映像を表示する表示手段と、
前記ミキシング手段で前記カラー映像信号に重畳されるカラー情報信号の振幅及び直流レベルを変更可能なカラー情報信号調整手段と、
前記カラー映像信号調整手段を駆動し、前記ミキシング手段から出力される前記３原色それぞれのカラー映像信号の振幅または直流レベルあるいはその両方を相対的に変更して前記表示手段で表示される映像の色温度を調整する色温度調整手段と、
前記カラー情報信号調整手段を、前記３原色それぞれのカラー情報信号の振幅または直流レベルあるいはその両方が前記色温度調整手段による調整とは逆方向に相対的に調整されるように駆動する駆動手段と、
を具備したことを特徴とする映像表示機器の色温度調整装置。
【請求項４】
前記駆動手段は、前記色温度調整手段によって生成される色温度変化が前記カラー映像情報に関しては実質的に相殺されて元のカラー情報信号に基づく色温度となるように、前記ミキシング手段による重畳に先立ち、前記カラー情報信号が前記色温度調整手段による調整に対応して調整されるように前記カラー情報信号調整手段を駆動するものであることを特徴とする請求項３に記載の映像表示機器の色温度調整装置。
【請求項５】
前記駆動手段は、前記色温度調整手段による調整に基づき、演算によって前記カラー情報信号を調整する信号を得るものであることを特徴とする請求項３に記載の映像表示機器の色温度調整装置。
【請求項６】
前記駆動手段は、前記演算によって求めた前記カラー情報信号調整用の信号に対して、さらに所定の係数による演算を行なって当該カラー情報信号調整用の信号を得るものであることを特徴とする請求項５に記載の映像表示機器の色温度調整装置。
【請求項７】
カラー映像信号に対してカラー情報信号を重畳するステップと、
前記カラー情報信号が重畳されたカラー映像信号に基づく映像を表示手段で表示するステップと、
前記カラー情報信号が重畳されたカラー映像信号を調整して、前記表示手段で表示される映像の色温度を調整するステップと、
前記色温度調整ステップによって生成される色温度変化が前記カラー映像情報に関しては実質的に相殺されて元のカラー情報信号に基づく色温度となるように、前記カラー映像信号への重畳に先立ち、前記色温度調整ステップによる調整に対応して前記カラー情報信号を調整するステップと、
を具備したことを特徴とする映像表示機器の色温度調整方法。
【発明の詳細な説明】
【０００１】
【発明の属する技術分野】
この発明は、映像表示機器の色温度調整装置及び色温度調整方法に関し、特に映像信号にＴＥＸＴ（テキスト）情報あるいはＯＳＤ（Ｏｎ  Ｓｃｒｅｅｎ  Ｄｉｓｐｌａｙ）情報を重畳して表示手段で表示する機能を有する映像表示機器の色温度調整装置及び色温度調整方法に関する。
【０００２】
【従来の技術】
従来、例えばカラー陰極線管を表示手段として用いるテレビジョン受像機においては、表示手段で表示される映像の色温度は、工場出荷時に所定のものとなるように調整される。
ユーザにとって、工場出荷時に設定された色温度が必ずしも好みにあっていない場合もあり、色温度の調整を可能にしたテレビジョン受像機も市販されている。すなわち、例えばより青系の色を強調して全体的に冷たい感じの映像にするか、あるいは赤系の色を強調して全体的に温かみのある映像にするかという程度の調整装置が備えられている。
【０００３】
具体的に色温度を調整するには、カラーテレビジョン信号を復調して赤（Ｒ）、緑（Ｇ）、青（Ｂ）の３原色カラー映像信号をそれぞれ生成し、それらカラー映像信号の振幅または直流レベルあるいはその両方を相対的に変更することで行うのが一般である。
【０００４】
例えば、青系を強くしたければ、青信号を主体にその振幅を大きくし、あるいは直流レベルを高くして青系を強調し、さらに緑信号を若干変更して青系の調整に追随するようにする。逆に赤系を強くしたければ、赤信号を主体にその振幅を大きくし、あるいは直流レベルを上げて赤が強調されるようする。さらに緑信号を若干変更するように調整する。
【０００５】
ところで、最近のテレビジョン受像機においては、通常の映像信号に対して、テキスト情報をスーパーインボーズで表示させたり、表、記号等のＯＳＤ情報を表示させたりすることが多くなってきつつある。
それらテキスト情報あるいはＯＳＤ情報は、文字あるいは表、記号そのものの意味合いはもちろん重要であるが、それとは別に、それらの色も一つの情報として扱われることがある。
例えば、デジタル放送のデータ放送では、リモートコントローラを用いて、ユーザが放送局に対してアクセスすることが可能ないわゆる双方向システムが構築されている。それによれば、リモートコントローラの操作釦に、青、赤、緑、黄に色分けした釦を設け、放送局から青、赤、緑、黄に色分けした選択項目を含む映像を送って、ユーザがリモートコントローラの色分け釦を使って映像の選択項目を選択しそれを放送局に送って例えばアンケートに答える等の機能を実行することができるように構成されている。
【０００６】
このため、表示される映像の選択対象となる項目の色が青、赤、緑、黄からかけ離れていると、操作できないということにもなり兼ねない。
よって、色温度を調整しても、映像信号に重畳されるような情報信号については、色温度が調整されずに本来の色温度のままで表示されるようにしたほうが好ましい場合もあるが、色温度調整は、テキスト情報あるいはＯＳＤ情報が重畳された後の映像信号に対して処理を施すことで行うように構成されるため、色温度調整を行うと、それに連動してテキスト情報、ＯＳＤ情報の色温度も調整されてしまうのが一般である。このように、従来の色温度調整装置は、映像信号に重畳される情報信号の色温度について考慮したものはなかった。
【０００７】
例えば、色温度調整装置として、特許文献１あるいは特許文献２に示すような提案がなされているが、いずれも単に映像信号の色温度を調整することが示されているだけである。
【特許文献１】
特開平５−２３６５０１号公報（第３〜６頁、図１）
【特許文献２】
特開２０００−２８７２２１号公報（第４〜６頁、図１）
【０００８】
【発明が解決しようとする課題】
以上のように、色温度を調整すると、映像信号に重畳されている情報信号に基づく映像の色温度も変更されてしまって好ましくない場合があり、改善が要望されていた。
本発明は、以上の点に対処してなされたもので、映像信号の色温度を調整する際に、重畳される情報信号に対して、予め逆の色温度調整を施しておいて、映像信号と重畳された後で色温度調整が実行されても情報信号に対しては実質的に色温度調整がなされないようにした色温度調整装置を提供するものである。
【０００９】
【課題を解決するための手段】
本発明の映像表示機器の色温度調整装置は、カラー映像信号に対してカラー情報信号を重畳するミキシング手段と、
このミキシング手段から出力されるカラー映像信号が供給され、当該カラー映像信号に基づく映像を表示する表示手段と、
前記表示手段に供給される信号を調整して、当該表示手段で表示される映像の色温度を調整する色温度調整手段と、
前記色温度調整手段によって生成される色温度変化が前記カラー情報信号に関しては実質的に相殺されて元のカラー情報信号に基づく色温度となるように、前記ミキシング手段による重畳に先立ち、前記色温度調整手段による調整に対応して前記カラー情報信号を調整するカラー情報信号調整手段と、
【００１０】
を具備したことを特徴とする。
本発明によれば、映像信号に対して情報信号が重畳された信号に基づく映像の色温度調整が実行されても情報信号に対しては実質的に色温度調整がなされないようになるため、情報信号に基づく映像を正確に表示することができる。
本発明の映像表示機器の色温度調整装置は、３原色それぞれのカラー映像信号に対して、対応する原色のカラー情報信号を重畳するミキシング手段と、
このミキシング手段から出力される３原色それぞれのカラー映像信号が供給され、当該カラー映像信号の振幅及び直流レベルを変更可能なカラー映像信号調整手段と、
このカラー映像信号調整手段から出力されるカラー映像信号が供給され、当該カラー映像信号に基づく映像を表示する表示手段と、
前記ミキシング手段で前記カラー映像信号に重畳されるカラー情報信号の振幅及び直流レベルを変更可能なカラー情報信号調整手段と、
前記カラー映像信号調整手段を駆動し、前記ミキシング手段から出力される前記３原色それぞれのカラー映像信号の振幅または直流レベルあるいはその両方を相対的に変更して前記表示手段で表示される映像の色温度を調整する色温度調整手段と、
前記カラー情報信号調整手段を、前記３原色それぞれのカラー情報信号の振幅または直流レベルあるいはその両方が前記色温度調整手段による調整とは逆方向に相対的に調整されるように駆動する駆動手段と、
を具備したことを特徴とする。
本発明によれば、映像信号に対して情報信号が重畳された信号に基づく映像の色温度調整が実行されても情報信号に対しては実質的に色温度調整がなされないようすることができるため、情報信号に基づく映像を正確に表示することができる。
本発明の映像表示機器の色温度調整方法は、カラー映像信号に対してカラー情報信号を重畳するステップと、
前記カラー情報信号が重畳されたカラー映像信号に基づく映像を表示手段で表示するステップと、
前記カラー情報信号が重畳されたカラー映像信号を調整して、前記表示手段で表示される映像の色温度を調整するステップと、
前記色温度調整ステップによって生成される色温度変化が前記カラー映像情報に関しては実質的に相殺されて元のカラー情報信号に基づく色温度となるように、前記カラー映像信号への重畳に先立ち、前記色温度調整ステップによる調整に対応して前記カラー情報信号を調整するステップと、
【００１１】
を具備したことを特徴とする。
本発明によれば、本発明によれば、映像信号に対して情報信号が重畳された信号に基づく映像の色温度調整が実行されても情報信号に対しては実質的に色温度調整がなされないようになるため、情報信号に基づく映像を正確に表示することができる。
【００１２】
【発明の実施の形態】
以下、図面を参照しながら本発明の実施の形態を詳細に説明する。
図１は、本発明の色温度調整装置１０の一実施の形態を示す回路ブロック図である。色温度調整装置１０は、テレビジョン受信機の一部を構成するものであり、テレビジョン受信機の全体構成についてはここでは省略している。
図１において、端子１１，１２，１３には、それぞれアナログ信号としての赤（Ｒ）映像信号と緑（Ｇ）映像信号と青（Ｂ）映像信号のいわゆる３原色カラー映像信号が供給される。
端子１１，１２，１３に供給された３原色カラー映像信号は、それぞれ、Ｒ−ＴＥＸＴミキシング回路１４、Ｇ−ＴＥＸＴミキシング回路１５、Ｂ−ＴＥＸＴミキシング回路１６に供給される。
Ｒ−ＴＥＸＴミキシング回路１４、Ｇ−ＴＥＸＴミキシング回路１５、Ｂ−ＴＥＸＴミキシング回路１６には、ＴＥＸＴ信号生成部１７から、赤テキスト信号、緑テキスト信号及び青テキスト信号のいわゆる３原色テキスト信号が、がそれぞれＲ−ＴＥＸＴ制御部１８、Ｇ−ＴＥＸＴ制御部１９、Ｂ−ＴＥＸＴ制御部２０を介して供給され、それらテキスト信号が、ミキシング回路１４，１５，１６でカラー映像信号に重畳される。
【００１３】
各ＴＥＸＴ制御部１８，１９，２０は、映像信号の色温度調整が実行される際に、各テキスト信号に対して、その色温度調整と逆方向の調整を行うように動作するものであるが詳細について後述する。
Ｒ−ＴＥＸＴミキシング回路１４、Ｇ−ＴＥＸＴミキシング回路１５、Ｂ−ＴＥＸＴミキシング回路１６の出力は、それぞれＲ−ＯＳＤミキシング回路２１、Ｇ−ＯＳＤミキシング回路２２、Ｂ−ＯＳＤミキシング回路２３に供給される。
さらに、Ｒ−ＯＳＤミキシング回路２１、Ｇ−ＯＳＤミキシング回路２２、Ｂ−ＯＳＤミキシング回路２３の出力には、ＯＳＤ信号生成部２４から、赤ＯＳＤ信号、緑ＯＳＤ信号及び青ＯＳＤ信号のいわゆる３原色ＯＳＤ信号が、それぞれ、Ｒ−ＯＳＤ制御部２５、Ｇ−ＯＳＤ制御部２６、Ｂ−ＯＳＤ制御部２７を介して供給され、それらＯＳＤ信号が、各ＯＳＤミキシング回路２１，２２，２３で、各ＴＥＸＴミキシング回路１４，１５，１６の出力に重畳される。
【００１４】
各ＯＳＤ制御部２５，２６，２７は、映像信号の色温度調整が実行される際に、各ＯＳＤ信号に対して、その色温度調整と逆方向の調整を行うように動作するものであるが詳細について後述する。
各ＯＳＤミキシング回路２１，２２，２３の出力は、振幅調整用のリニア増幅器２８，２９，３０に供給される。リニア増幅器２８，２９，３０は、各ＯＳＤミキシング回路２１，２２，２３から出力される映像信号の振幅を調整して、それら信号のいわゆるコントラストを調整するように動作するもので、その利得がコントラストオフセット制御部３１から供給される制御信号によって制御される。
【００１５】
リニア増幅器２８，２９，３０の各出力は、直流シフト回路３２，３３，３４に供給される。直流シフト回路３２，３３，３４は、入力される信号の直流（再生）レベルを調整して、それら信号のいわゆるブライトネス（輝度）を調整するように動作するもので、その調整は、直流オフセット制御部３５から供給される制御信号に基づいて行われる。
【００１６】
直流シフト回路３２，３３，３４の出力は、ドライブ回路３６に供給されて、このドライブ回路３６で３原色の各信号に基づいて表示手段であるＣＲＴ（Ｃａｔｈｏｄｅ  Ｒａｙ  Ｔｕｂｅ）（陰極線管）３７を駆動し、映像を表示させる。
各３原色信号に対応して設けられるリニア増幅器２８，２９，３０と直流シフト回路３２，３３，３４は、ＣＲＴ３７で表示される映像の色温度を調整するために設けられるものであり、コントラストオフセット制御部３１、直流オフセット制御部３５からの制御信号に基づいて、３原色映像信号の振幅（ドライブ）と直流レベル（カットオフ）をそれぞれ調整するように動作する。
【００１７】
コントラストオフセット制御部３１と直流オフセット制御部３５は、画質制御部３８から供給される制御信号と、色温度オフセット格納部３９からの制御信号に基づいて、リニア増幅器２８，２９，３０と直流シフト回路３２，３３，３４を制御する。
【００１８】
画質制御部３８は例えばＭＰＵ（Ｍｉｃｒｏ  Ｐｒｏｃｅｓｓｉｎｇ  Ｕｎｉｔ）で構成され、いわゆる工場出荷時に設定された標準の色温度を得るための制御信号を各オフセット制御部３１，３５に出力する。
色温度オフセット格納部３９は、標準の色温度に対してそれを変更する際に各オフセット制御部３１，３５に制御信号を出力する。
また、色温度オフセット格納部３９から出力される制御信号は、逆オフセット生成部４０にも供給され、ここでリニア増幅器２８，２９，３０と直流シフト回路３２，３３，３４で調整される色温度とは逆の色温度調整を各テキスト信号とＯＳＤ信号に施すための制御信号が生成される。逆オフセット生成部４０からの制御信号は、各ＴＥＸＴ制御部１８，１９，２０と各ＯＳＤ制御部２５，２６，２７に供給される。
【００１９】
さらに、システム制御部４１が設けられ、システム制御部４１によって装置１０を含むテレビジョン受信機全体の制御が行われる。すなわち、システム制御部４１によって画質制御部３８が制御され、ＴＥＸＴ信号生成部１７とＯＳＤ信号生成部２４も制御される。
【００２０】
また、システム制御部４１には、メモリ４２が接続されており、制御用のソフトウェアが格納される他、ＴＥＸＴ信号生成部１７とＯＳＤ信号生成部２４で生成される信号の基を構成する文字、キャラクタ等のデータも格納されている。
さらに、システム制御部４１には、赤外線受光部４３が接続され、図示しないリモートコントローラからのリモコン信号４４を受信する。システム制御部４１は、赤外線受光部４３を介して、リモコン信号４４を受信し、色温度の調整を行うための制御信号を出力する他、ＴＥＸＴ信号生成部１７とＯＳＤ信号生成部２４を制御する制御信号を出力する。
【００２１】
以上のように構成された、色温度調整装置において、通常の映像の視聴状態においては、画質制御部３８から出力される制御信号によって、コントラストオフセット制御部３１と直流オフセット制御部３５は、ＣＲＴ３７で表示される映像が、工場出荷時の標準色温度となるように、リニア増幅器２８，２９，３０の利得と、直流シフト回路３２，３３，３４の直流シフト量を調整する。
【００２２】
ＣＲＴ３７で表示される映像の色温度を変えようとする場合、ユーザは図示しないリモートコントローラを操作して、例えばＣＲＴ３７に図２（ａ）に示すようなメニュー画面を表示させ、リモートコントローラのカーソル釦で、まず映像調整を選択する。それによってＣＲＴ３７に図２（ｂ）に示すような映像調整メニューを表示させ、リモートコントローラのカーソル釦で色温度調整を選択する。それによって、ＣＲＴ３７の画面に図２（ｃ）に示すような色温度調整のためのレベル表示がなされる。
【００２３】
すなわち、色温度として＜冷たい＞系とその反対の＜暖かい＞系に項目が分かれ、その間をアナログ的にレベルを表示するための複数の指標が表示されている。指標の中央は、色温度調整なしであり、工場出荷時の標準色温度を示す。
リモートコントローラのカーソル釦を操作する毎に、指標の色が変わり、色温度が変更されたことを示す。例えば図２（ｃ）では、＜暖かい＞系がレベル１だけ強調され、全体に赤が強い色温度に調整されたことを示す。調整が終了となると図２に示す調整メニュー表示はＣＲＴ３７画面から消える。
【００２４】
図１のブロック回路図において、色温度が調整される過程を説明する。リモートコントローラの操作によって、図２（ｃ）に示す表示がＣＲＴ３７の画面になされているとする。リモートコントローラのカーソル釦を操作すると、それによって、リモコン信号４４が送信され、それが赤外線受光部４３を介してシステム制御部４１に送られ、デコードされて制御信号として画質制御部３８に導出される。
【００２５】
画質制御部３８では、システム制御部４１からの制御信号に基づいて色温度オフセット格納部３９を制御し、コントラストオフセット制御部３１と直流オフセット制御部３５に対して、リモコン信号４４に対応する色温度調整を実行させるための色温度調整制御信号を出力する。
【００２６】
コントラストオフセット制御部３１と直流オフセット制御部３５では、色温度格納部３９からの色温度調整制御信号に基づいて、リニア増幅器２８，２９，３０の利得をそれぞれ調整すると共に、直流シフト回路３２，３３，３４の直流シフト量をそれぞれ調整する。
【００２７】
その結果、例えば図２（ｃ）に示すように、＜暖かい＞系が１レベル強調される場合には、例えば、Ｒ−ＯＳＤミキシング回路２１から出力される信号の振幅を増幅するリニア増幅器２８の利得を上げて赤信号の振幅を大きくすると共に、リニア増幅器２８の出力信号の直流レベルをシフトされる直流シフト回路３２によって直流レベルを高めにシフトさせる。さらに、Ｇ−ＯＳＤミキシング回路２２の出力を調整するリニア増幅器２９と直流シフト回路３３のゲインも調整して、緑系も若干強調するように調整する。
【００２８】
色温度を調整する際に、リニア増幅器２８，２９，３０の利得と直流シフト回路３２，３３，３４の直流シフト量をどのように調整するかは一義的に決定されるものではなく、例えば＜暖かい＞系を強調する場合に、＜冷たい＞を弱めるようにしてもよく、調整の具体的方法については種々の方法が適用できるものである。
【００２９】
以上のように、色温度オフセット格納部３９は画質制御部３８によって駆動されて、色温度調整制御信号を出力し、それによってＣＲＴ３７で表示される映像の色温度が調整されるが、色温度オフセット格納部３９は、調整が終了した時点で出力していた色温度制御信号を調整終了後も引き続き出力するように設定される。すなわち、色温度をオフセットするための情報が色温度オフセット格納部３９に格納されたことになる。色温度オフセット格納部３９に格納された情報は、新たな色温度調整が実行されることで更新される。また、工場出荷時の色温度に戻したい場合には、システム制御部４１を介して画質制御部３８に制御信号を送り、画質制御部３８からコントラストオフセット制御部３１と直流オフセット制御部３５に制御信号を送るようにする。その際、色温度オフセット格納部３９に格納されていた色温度オフセット情報はリセットされる。
【００３０】
色温度調整が実行されることで色温度オフセット格納部３９から出力される色温度調整制御信号は逆オフセット生成部４０にも供給されており、ここでリニア増幅器２８，２９，３０と直流シフト回路３２，３３，３４で調整された色温度と実質的に逆の色温度調整を、３原色ＴＥＸＴ信号と、３原色ＯＳＤ信号に対して施すような制御信号を生成し、生成した制御信号を各ＴＥＸＴ制御部１８，１９，２０と各ＯＳＤ制御部２５，２６，２７に供給する。
【００３１】
それによって、各ＴＥＸＴミキシング回路１４，１５，１６に供給される３原色ＴＥＸＴ信号と、各ＯＳＤミキシング回路２１，２２，２３に供給される３原色ＯＳＤ信号は、ＣＲＴ３７で表示された際に、リニア増幅器２８，２９，３０と直流シフト回路３２，３３，３４で調整された色温度と実質的に逆方向の色温度に調整されることになる。
【００３２】
その結果、テキスト信号とＯＳＤ信号は、リニア増幅器２８，２９，３０と直流シフト回路３２，３３，３４を通る過程でその振幅と直流レベルが調整されることにより、ＴＥＸＴ信号生成部１７とＯＳＤ信号生成部２４から出力された段階の色温度を有することになる。
【００３３】
すなわち、本発明の色温度調整装置１０では、入力端子１１，１２，１３に供給される映像信号の色温度は調整されるが、その映像信号に重畳されるテキスト信号、ＯＳＤ信号のいわゆる情報信号の色温度は調整されることがなく、それら情報信号の色も情報の一つとして扱う必要がある場合に、間違った情報がＣＲＴ３７に表示されてしまうという事態をなくすことができるものである。
【００３４】
なお、図１の回路においては、テキスト信号とＯＳＤ信号をそれぞれ映像信号に重畳するように構成しているが、当然ながら両信号が同時に重畳される場合の他、それぞれ一方の信号だけが映像信号に重畳されることもあり、その場合には、重畳されない信号のミキシング回路が単に入力信号を通過させるという動作を行う。さらに、テキスト信号もＯＳＤ信号も重畳されない場合には、各ミキシング回路は単に入力映像信号をそのまま通過させる回路となる。
【００３５】
また、図１の回路ではリニア増幅器２８，２９，３０の後段に直流シフト回路３２，３３，３４が配置されているが、その順序は、逆であっても差し支えないものである。
また、各ＴＥＸＴ制御部１８，１９，２０と各ＯＳＤ制御部２５，２６，２７は、実際には、利得を制御することが可能なリニア増幅器と直流シフト回路で構成することが可能であり、それら制御部の具体例を図３に示す。図３において図１と同一回路構成部分に同じ符号を付す。
【００３６】
赤テキスト信号は、Ｒ−ＴＥＸＴリニア増幅器５１と、Ｒ−ＴＥＸＴ直流シフト回路５２を直列に介してＲ−ＴＥＸＴミキシング回路１４に供給され、赤映像信号に重畳される。
同様に、緑テキスト信号は、Ｇ−ＴＥＸＴリニア増幅器５３とＧ−ＴＥＸＴ直流シフト回路５４を直列に介してＧ−ＴＥＸＴミキシング回路１５に供給され、緑映像信号に重畳される。
また、青テキスト信号も同様に、Ｂ−ＴＥＸＴリニア増幅器５５とＢ−ＴＥＸＴ直流シフト回路５６を直列に介してＢ−ＴＥＸＴミキシング回路１６に供給され、青映像信号に重畳される。
各ＴＥＸＴリニア増幅器５１，５３，５５は、図１に示すリニア増幅器２８，２９，３０と同様に、各原色のＴＥＸＴ信号の振幅を調整して、そのコントラストを調整するように動作する。
また、各ＴＥＸＴ直流シフト回路５２，５４，５６は、図１に示す直流シフト回路３２，３３，３４と同様に、各原色ＴＥＸＴ信号の直流レベルをシフトして、その輝度（ブライトネス）を調整するように動作する。
さらに、赤ＯＳＤ信号は、Ｒ−ＯＳＤリニア増幅器５７とＲ−ＯＳＤ直流シフト回路５８を直列に介してＲ−ＯＳＤミキシング回路２１に供給され、Ｒ−ＴＥＸＴミキシング回路１４の出力に対して重畳される。
また、緑ＯＳＤ信号は、Ｇ−ＯＳＤリニア増幅器５９とＧ−ＯＳＤ直流シフト回路６０を直列に介してＧ−ＯＳＤミキシング回路２２に供給され、Ｇ−ＴＥＸＴミキシング回路１５の出力に対して重畳される。
さらに、青ＯＳＤ信号は、Ｂ−ＯＳＤリニア増幅器６１とＧ−ＯＳＤ直流シフト回路６２を直列に介してＢ−ＯＳＤミキシング回路２３に供給され、Ｂ−ＴＥＸＴミキシング回路１６の出力に対して重畳される。
各ＯＳＤリニア増幅器５７，５９，６１は、図１に示すリニア増幅器２８，２９，３０と同様に、各原色のＯＳＤ信号の振幅を調整して、そのコントラストを調整するように動作する。
また、各ＯＳＤ直流シフト回路５８，６０，６２は、図１に示す直流シフト回路３２，３３，３４と同様に、各原色ＯＳＤ信号の直流レベルをシフトして、その輝度（ブライトネス）を調整するように動作する。
各リニア増幅器５１，５３，５５，５７，５９，６１と、各直流シフト回路５２，５４，５６，５８，６０，６２には、逆オフセット生成部４０から、色温度オフセット格納部３９から出力される色温度調整制御信号とは逆の色温度調整用の制御信号が出力されて、各３原色テキスト信号あるいは３原色ＯＳＤ信号の振幅と直流レベルが調整される。
【００３７】
例えば、図２（ｃ）に示すように、＜暖かさ＞がレベル１だけ強調されるように色温度を調整した場合には、３原色テキスト信号あるいは３原色ＯＳＤ信号に対して、＜冷たさ＞がレベル１だけ強調されるような調整が施されることになる。その結果、テキスト信号とＯＳＤ信号は、図１に示すリニア増幅器２８，２９，３０と直流シフト回路３２，３３，３４を通る過程でその色温度を＜暖かさ＞がレベル１だけ強調されるように調整され、テキスト信号及びＯＳＤ信号が元々有している色温度に調整されることになる。
【００３８】
以上の説明では、図１に示すリニア増幅器２８，２９，３０と図３に示す各リニア増幅器５１，５３，５５，５７，５９，６１との制御特性（制御信号のレベル変化に対する利得変化の割合い）については特に言及していないが、両者で制御特性が異なる場合には、色温度オフセット格納部３９から出力される色温度調整制御信号に対して、逆オフセット生成部４０から逆の色温度調整制御信号を出力しただけでは、必ずしも、リニア増幅器２８，２９，３０による色温度調整分を、相殺するような制御をテキスト信号あるいはＯＳＤ信号に対して施すことはできない。
【００３９】
同様に、図１に示す直流シフト回路３２，３３，３４と図３に示す各直流シフト回路５２，５４，５６，５８，６０，６２との制御特性（制御信号のレベル変化に対する利得変化の割合い）が異なる場合には、色温度オフセット格納部３９から出力される色温度調整制御信号に対して、逆オフセット生成部４０から逆の色温度調整制御信号を出力しただけでは、必ずしも、直流シフト回路３２，３３，３４による色温度調整分を、相殺するような制御をテキスト信号あるいはＯＳＤ信号に対して施すことはできない。
【００４０】
そのように、各対応する回路間で制御特性が異なる場合には、色温度オフセット格納部３９からの色温度調整制御信号に基づいて、逆オフセット生成部４０で生成される制御信号に、所定の係数を加減算したりあるいは乗除算して、色温度調整が相殺されるようにする必要がある。
【００４１】
図４は、逆オフセット生成部４０から出力される各リニア増幅器と各直流シフト回路を調整するための制御信号に対して、係数を加減算あるいは乗除算するための係数設定部７１を備えた実施の形態を示すものである。
図４に示す回路構成により、図１に示すリニア増幅器と直流シフト回路で実行される色温度調整をより完全に相殺するような調整をテキスト信号あるいはＯＳＤ信号に対して施すことができるものである。
図５は、以上説明した本発明の色温度調整装置の動作を回路動作を主体に説明するためのフローチャートである。図５において、ステップ５ａで開始され、ステップ５ｂで色温度調整コマンドが入力されたか否かの判定がなされ、コマンドが入力されるまでその判定処理が継続される。
【００４２】
ステップ５ｂで色温度調整コマンドが入力されたことが判定されると、ステップ５ｃで、調整入力に応じて３原色映像信号の、振幅または直流レベルあるいはその両方を相対的に変更するようにリニア増幅器２８，２９，３０及び直流シフト回路３２，３３，３４を制御して色温度を調整する。
【００４３】
次いでステップ５ｄで色温度調整が終了したか否かの判定がなされ、終了していないと判断された場合には、ステップ５ｃに戻って引き続き色温度調整を実行する。ステップ５ｄで色温度調整が終了したと判定されたら、ステップ５ｅで、調整が終了した時点での３原色映像信号の振幅と直流レベルを保持するための情報を色温度オフセット格納部３７に格納する。
【００４４】
次いで、ステップ５ｆで、映像信号に重畳されるテキスト信号が、映像信号と共に色温度変更処理された際に、テキスト信号については表示色温度が実質的に変化しないように、映像信号に重畳される前段階で３原色テキスト信号の振幅または直流レベルあるいはその両方が格納された情報に基づいて調整されるように３原色テキスト信号の伝送系を制御する。
【００４５】
次いで、ステップ５ｇで、映像信号に重畳されるＯＳＤ信号が、映像信号と共に色温度変更処理された際に、ＯＳＤ信号については表示色温度が実質的に変化しないように、映像信号に重畳される前段階で３原色ＯＳＤ信号の振幅または直流レベルあるいはその両方が格納された情報に基づいて調整されるように３原色ＯＳＤ信号の伝送系を制御する。その後ステップ５ｈで処理を終了する。
【００４６】
その結果、テキスト信号、ＯＳＤ信号が映像信号に重畳されて、映像信号と共に色温度変更処理を受けても、テキスト信号、ＯＳＤ信号の表示色温度は変化することはない。
図６は、本発明の色温度調整装置の動作を信号処理を主体に説明するためのフローチャートである。図６において、ステップ６ａで開始され、ステップ６ｂで色温度調整コマンドが入力されたか否かの判定がなされ、コマンドが入力されるまでその判定処理が継続される。
【００４７】
ステップ６ｂで色温度調整コマンドが入力されたことが判定されると、ステップ６ｃで、調整入力に応じて３原色映像信号の、振幅または直流レベルあるいはその両方を相対的に変更して色温度を調整する。
次いで、ステップ６ｄでテキスト信号が映像信号に重畳されているか否かの判定がなされ、重畳されている場合には、ステップ６ｅで、映像信号の色温度調整に合せて、テキスト信号の３原色信号の振幅または直流レベルあるいはその両方を、映像信号とは逆方向に調整する。
【００４８】
ステップ６ｄでテキスト信号が重畳されていないと判定された場合及びステップ６ｅの処理が終了した場合には、ステップ６ｆに移ってＯＳＤ信号が重畳されているか否かの判定がなされ、ＯＳＤ信号が重畳されている場合には、ステップ６ｇでＯＳＤ信号の３原色信号の振幅または直流レベルあるいはその両方を、映像信号とは逆方向に調整する。
【００４９】
ステップ６ｆでＯＳＤ信号が重畳されていないと判定された場合及びステップ６ｇの処理が終了した場合には、ステップ６ｈに移って色温度調整が終了したか否かの判定がなされ、終了していない場合にはステップ６ｃに戻り、色温度調整が終了した場合にはステップ６ｉで処理を終了する。
【００５０】
なお、図１に示す本発明の実施の形態において、コントラストオフセット制御部３１、直流オフセット制御部３５、色温度オフセット格納部３９及び逆オフセット生成部４０をそれぞれ回路ブロックで構成されるものとして示したが、それら各部から出力される制御信号はＭＰＵの演算機能を利用して、ＭＰＵの内部処理として生成することができるものであり、ソフトウェアによって生成させることが可能である。
【００５１】
以上のように本発明の色温度調整装置によれば、映像信号に基づく映像の色温度を調整する際に、テキスト信号あるいはＯＳＤ信号等の情報信号に基づく表示映像の色温度が変化することなく元々の色温度を有する映像として表示されるようになるので、情報信号が色を情報として有する場合正しい情報を表示することができるものである。
【００５２】
【発明の効果】
以上のように、本発明によれば、映像信号にテキス信号、ＯＳＤ信号等の情報信号を重畳し、その信号に基づく表示映像の色温度を調整する際に、情報信号については、色温度調整が実質的に行なわれないように重畳する前の情報信号に対して、映像信号の色温度調整に対応した処理を施すようにしたので、情報信号に基づく映像については、元の色温度で表示されるようになり、正確な情報を表示することができるようになるものである。
【図面の簡単な説明】
【図１】本発明に係る映像表示機器の色温度調整装置の一実施の形態を示す回路ブロック図。
【図２】図１に示す装置の動作を説明するための図。
【図３】本発明に係る映像表示機器の色温度調整装置の一実施の形態の要部の回路ブロック図。
【図４】本発明に係る映像表示機器の色温度調整装置の他の実施の形態の要部の回路ブロック図。
【図５】本発明に係る映像表示機器の色温度調整装置の動作を説明するためのフローチャート。
【図６】本発明に係る映像表示機器の色温度調整装置の動作を説明するためのフローチャート。
【符号の説明】
１１…赤映像信号入力端子
１２…緑映像信号入力端子
１３…青映像信号入力端子
２８，２９，３０…リニア増幅器
【図１】
2004297477.tif 000003
【図２】
2004297477.tif 000004
【図３】
2004297477.tif 000005
【図４】
2004297477.tif 000006
【図５】
2004297477.tif 000007
【図６】
2004297477.tif 000008